(57)【特許請求の範囲】
【請求項１】
複数の人間が共同で使用する個室の使用状況を、個室外部に報知する個室使用状況報知システムであって、
前記個室外部に設けられた報知手段と、
前記個室の出入り口を開閉するドアの開閉状態を検出するドア開閉検出手段と、
前記個室内に人物が存在することを検出する人物検出手段と、
前記ドア開閉検出手段及び前記人物検出手段からの検出信号の入力に基づき、前記報知手段に個室の使用状況を報知させる制御手段とを備え、
前記ドア開閉検出手段からのドアが閉鎖状態となった旨の検出信号が入力された後に前記人物検出手段による個室内で人物の存在を検出した旨の検出信号が入力された場合には、前記制御手段は前記ドア開閉検出手段からのドアの開放状態となった旨の検出信号が入力されるまで前記人物検出手段による人物の存在の検出が行われなくとも前記報知手段に個室外部に個室が使用されている旨の報知をさせるように制御する個室使用状況報知システムにおいて、
前記制御手段は前記ドア開閉検出手段からのドアが閉鎖状態となった旨の検出信号が入力された後、所定の第１の時間が経過するまで前記人物検出手段から入力される検出信号をキャンセルするとともに、前記所定の第１の時間が経過した後に、所定の第２の時間が経過しても前記人物検出手段からの検出信号の入力がない場合には、前記所定の第２の時間が経過した後に前記制御手段は前記ドア開閉検出手段からのドアが開放状態となった旨の検出信号が入力されるまで前記人物検出手段からの検出信号をキャンセルするように制御することを特徴とする個室使用状況報知システム。
【請求項２】
前記人物検出手段により個室内の人物の存在が検出された後、所定時間内に前記ドア開閉検出手段によりドアの開放状態が検出されない場合にその旨を個室外部に報知する第２の報知手段を備えていることを特徴とする請求項１に記載の個室使用状況報知システム。
【請求項３】
複数の人間が共同で使用する個室の使用状況を、個室外部に報知する個室使用状況報知システムであって、
前記個室外部に設けられた報知手段と、
前記個室の出入り口に配設され人間の前記出入り口の通過を検出する出入り口通過検出手段と、
前記個室内に人物が存在することを検出する人物検出手段と、
前記出入り口通過検出手段及び前記人物検出手段からの検出信号の入力に基づき、前記報知手段に個室の使用状況を報知させる制御手段とを備え、
前記出入り口通過検出手段からの出入り口を通過した旨の検出信号が入力された後に前記人物検出手段による個室内で人物の存在を検出した旨の検出信号が入力された場合には、前記制御手段は次に前記出入り口通過検出手段からの出入り口を通過した旨の検出信号が入力されるまで前記人物検出手段による人物の存在の検出が行われなくとも前記報知手段に個室外部に個室が使用されている旨の報知をさせるように制御する個室使用状況報知システムにおいて、
前記制御手段は前記前記出入り口通過検出手段からの出入り口を通過した旨の検出信号が入力された後、所定の第１の時間が経過するまで前記人物検出手段から入力される検出信号をキャンセルするとともに、前記所定の第１の時間が経過した後に、所定の第２の時間が経過しても前記人物検出手段からの検出信号の入力がない場合には、前記所定の第２の時間が経過した後に前記制御手段は前記出入り口通過検出手段からの出入り口を通過した旨の検出信号が入力されるまで前記人物検出手段からの検出信号をキャンセルするように制御することを特徴とする個室使用状況報知システム。
【請求項４】
前記人物検出手段により個室内の人物の存在が検出された後、所定時間内に前記出入り口通過検出手段により出入り口の通過が検出されない場合にその旨を個室外部に報知する第２の報知手段を備えていることを特徴とする請求項３に記載の個室使用状況報知システム。
【発明の詳細な説明】
【技術分野】
【０００１】
本発明は、トイレ等の個室における使用状況を外部から確認することができる個室使用状況報知システムに関するものである。
【背景技術】
【０００２】
従来から個室使用状況報知装置として例えば個室としてトイレ内に赤外線センサ等からなる人体検出センサを設け、使用者がトイレに入室した場合、人体検出センサにより使用者を検出し、その検出信号に基づいてトイレ室外に設けられた報知装置を駆動させて、トイレ室外にいる人たちにトイレの使用中の旨を報知するものが提案されている。
この種のタイプの個室使用状況報知装置ではドアをロックすることで入室を知らせるタイプとは異なり、ドアをロックしなくてもトイレ内に人物がいる場合、トイレ室外の報知装置を点灯させてトイレ使用中の旨を報知できるが、トイレ内で使用者が長時間静止状態（大便時等）の場合、人体検出センサは使用者の検出状態を解除してしまうことがあった。この場合、もちろん、人体検出センサはトイレ内に使用者がいるにもかかわらず、使用者を検出しないことからトイレ室外の報知装置はトイレが非使用状態であることを報知してしまうという問題があった。
そのため、特許文献１のように人体検出センサをドア開閉検出センサ（ドアスイッチ）と連動させ、一旦ドアが閉鎖されてドア開閉検出センサからの検出信号が出力された後に人体検出センサによって人が検出された場合には、その後人体検出センサが人の動きを検出しない場合であっても再度ドアが開放されるまでは報知が継続されるような個室使用状況報知システムが提案されている。
【先行技術文献】
【特許文献】
【０００３】
【特許文献１】特開２００３−３０５１２３号公報
【発明の概要】
【発明が解決しようとする課題】
【０００４】
しかしながら、上記特許文献１の個室使用状況報知システムにおいては次のような問題があった。特許文献１の個室使用状況報知システムでは通常人体検出センサの検出領域にいる状態からその領域の外側に出てドア方向に向かうため、検出の流れてとしてはまず、移動に伴って人の動きが人体検出センサに検出され、その後ドアが開放される、というものである。
ところが、人体検出センサは検出後検出信号を制御装置としてのコントローラに出力した場合に、検出から処理までに一定の時間が必要であり、その間に入室中の人が急いでドアを開けて出て行ってしまった場合にドアの開放〜閉鎖状態の信号が人体検出センサの検出信号よりも先に認識されてしまうことがあった。この場合には人体検出センサが人の動きを検出した後で閉鎖状態の信号が入力されないこととなるため、入室状態の報知が解除されることがなく、退室したにも関わらず使用しているかの報知状態が継続されてしまうこととがあった。
また、入室中の人がドアを開けて出て行く際に個室内外で温度差が大きい場合に、ドアを開けることで温度差のある外気が室内に導入されると、室内で空気団の対流が発生することがある。従来ではこの温度差のある空気団の対流を人の動きと間違えて人体検出センサが検出してしまうことがあり、その場合も上記と同様ドアの開放〜閉鎖状態の信号が検出された後にこの空気団の対流を人体検出センサが検出してしまうことで退室したにも関わらず使用しているかの報知状態が継続されてしまうことがあった。
本発明は、上記問題を解消するためになされたものであり、その目的は、トイレ等の個室内に人物が存在する際、その人物が室外に出たにも関わらず誤って室内に人物が居るかのような誤った報知がなされない個室使用状況報知システムを提供することにある。
【課題を解決するための手段】
【０００５】
上記目的を達成するために、手段１では、複数の人間が共同で使用する個室の使用状況を、個室外部に報知する個室使用状況報知システムであって、前記個室外部に設けられた報知手段と、前記個室の出入り口を開閉するドアの開閉状態を検出するドア開閉検出手段と、前記個室内に人物が存在することを検出する人物検出手段と、前記ドア開閉検出手段及び前記人物検出手段からの検出信号の入力に基づき、前記報知手段に個室の使用状況を報知させる制御手段とを備え、前記ドア開閉検出手段からのドアが閉鎖状態となった旨の検出信号が入力された後に前記人物検出手段による個室内で人物の存在を検出した旨の検出信号が入力された場合には、前記制御手段は前記ドア開閉検出手段からのドアの開放状態となった旨の検出信号が入力されるまで前記人物検出手段による人物の存在の検出が行われなくとも前記報知手段に個室外部に個室が使用されている旨の報知をさせるように制御する個室使用状況報知システムにおいて、前記制御手段は前記ドア開閉検出手段からのドアが閉鎖状態となった旨の検出信号が入力された後、所定の第１の時間が経過するまで前記人物検出手段から入力される検出信号をキャンセルするとともに、前記所定の第１の時間が経過した後に、所定の第２の時間が経過しても前記人物検出手段からの検出信号の入力がない場合には、前記所定の第２の時間が経過した後に前記制御手段は前記ドア開閉検出手段からのドアが開放状態となった旨の検出信号が入力されるまで前記人物検出手段からの検出信号をキャンセルするように制御することをその要旨とする。
また、手段２では前記人物検出手段により個室内の人物の存在が検出された後、所定時間内に前記ドア開閉検出手段によりドアの開放状態が検出されない場合にその旨を個室外部に報知する第２の報知手段を備えていることをその要旨とする。
【０００６】
手段１においては、使用者が個室へ入る際、ドア開閉検出手段によりドアの開放及び閉鎖が検出される。ドア開閉検出手段によりドアの閉鎖状態が検出され、人物検出手段により人物の存在が検出され、それらの検出信号が制御手段に入力されると、ドア開閉検出手段によりドアの開放状態が検出されるまで、個室外部に個室の使用中の旨が報知される。すなわち、使用者が一旦個室へ入室してドアを閉め、一度でも人物検出手段が作動したならば、次にドアが開放されるまでの間、人物検出手段による人物の存在が検出されなくとも報知手段が個室の使用中の旨を個室外部に報知することとなる。
一方、ドア開閉検出手段によりドアの閉鎖状態が検出される際には、その検出信号が制御手段に入力されると所定の第１の時間が経過するまでは前記人物検出手段から入力される検出信号はキャンセルされる。
そして前記所定の第１の時間が経過した後に、所定の第２の時間が経過しても人物検出手段からの検出信号の入力がない場合には、所定の第２の時間が経過した後に制御手段はドア開閉検出手段からのドアが開放状態となった旨の検出信号が入力されるまで前記人物検出手段からの検出信号をキャンセルすることとなる。これによって、個室内にネズミのような小動物が誤って侵入した場合に、それを人と間違えて検出したり、ドア以外の部分からの温度差のある空気団を人と間違えて検出したりする誤動作の可能性を極力減らすことができる。
従って、使用者が個室から出る際にドア開閉検出手段によりドアの閉鎖状態が検出されるが、本発明ではその閉鎖が検出された後に実際には室内に人物がいないにも関わらず人物検出手段から検出信号が出力されるようなことはなく、制御手段が誤って報知手段を報知状態としてしまうことがない。ここに「所定の第１の時間」とは一般に数秒以内のごく短い時間帯である。長さは適宜変更可能である。また、「所定の第２の時間」とは所定の第１の時間よりも長く、数分程度が好ましい。長さは適宜変更可能である。所定の第２の時間のカウント始期は所定の第１の時間の経過後でもよく、ドア開閉検出手段によりドアの閉鎖状態が検出された段階でもよい。
【０００７】
また、手段３では、複数の人間が共同で使用する個室の使用状況を、個室外部に報知する個室使用状況報知システムであって、前記個室外部に設けられた報知手段と、前記個室の出入り口に配設され人間の前記出入り口の通過を検出する出入り口通過検出手段と、前記個室内に人物が存在することを検出する人物検出手段と、前記出入り口通過検出手段及び前記人物検出手段からの検出信号の入力に基づき、前記報知手段に個室の使用状況を報知させる制御手段とを備え、前記出入り口通過検出手段からの出入り口を通過した旨の検出信号が入力された後に前記人物検出手段による個室内で人物の存在を検出した旨の検出信号が入力された場合には、前記制御手段は次に前記出入り口通過検出手段からの出入り口を通過した旨の検出信号が入力されるまで前記人物検出手段による人物の存在の検出が行われなくとも前記報知手段に個室外部に個室が使用されている旨の報知をさせるように制御する個室使用状況報知システムにおいて、前記制御手段は前記前記出入り口通過検出手段からの出入り口を通過した旨の検出信号が入力された後、所定の第１の時間が経過するまで前記人物検出手段から入力される検出信号をキャンセルするとともに、前記所定の第１の時間が経過した後に、所定の第２の時間が経過しても前記人物検出手段からの検出信号の入力がない場合には、前記所定の第２の時間が経過した後に前記制御手段は前記出入り口通過検出手段からの出入り口を通過した旨の検出信号が入力されるまで前記人物検出手段からの検出信号をキャンセルするように制御することをその要旨とする。
また、手段４では前記人物検出手段により個室内の人物の存在が検出された後、所定時間内に前記出入り口通過検出手段により出入り口の通過が検出されない場合にその旨を個室外部に報知する第２の報知手段を備えていることをその要旨とする。
【０００８】
手段３においては、使用者が個室へ入る際、出入り口通過検出手段により人物の出入り口の通過が検出される。出入り口通過検出手段により人物の出入り口の通過が検出され、人物検出手段により人物の存在が検出され、それらの検出信号が制御手段に入力されると、再度出入り口通過検出手段により通過が検出されるまで、個室外部に個室の使用中の旨が報知される。すなわち、使用者が一旦出入り口から個室へ入室し、一度でも人物検出手段が作動したならば、次に出入り口を通過するまでの間、人物検出手段による人物の存在が検出されなくとも報知手段が個室の使用中の旨を個室外部に報知することとなる。
一方、出入り口通過検出手段により入室している状態から外方向への出入り口の通過が検出される際には、その検出信号が制御手段に入力されると所定の第１の時間が経過するまでは前記人物検出手段から入力される検出信号はキャンセルされる。
そして、前記所定の第１の時間が経過した後に、所定の第２の時間が経過しても人物検出手段からの検出信号の入力がない場合には、所定の第２の時間が経過した後に制御手段は出入り口通過検出手段からの出入り口を通過した旨の検出信号が入力されるまで前記人物検出手段からの検出信号をキャンセルすることとなる。これによって、個室内にネズミのような小動物が誤って侵入した場合に、それを人と間違えて検出する誤動作の可能性を極力減らすことができる。
従って、使用者が個室から出る際に出入り口通過検出手段によりにより出入り口を通過したことが検出されるが、本発明ではその通過が検出された後に実際には室内に人物がいないにも関わらず人物検出手段から検出信号が出力されるようなことはなく、制御手段が誤って報知手段を報知状態としてしまうことがない。ここに「所定の第１の時間」とは上記請求項１の発明と同義である。また、「所定の第２の時間」とは上記請求項１の発明と同義である。
【発明の効果】
【０００９】
上記発明によれば、個室を使用する人がドアをロックするのを忘れた場合等や、個室内の人物の存在が検出されない場合においても、確実に個室の使用状況を判別して、個室外部に個室使用状況を報知することができることとなる。そして、個室を使用した後に使用者が急いで外へ出たり、あるいは外と室内との温度差があってドアの開放に伴って室内と温度差のある空気団が侵入したとしてもこれらが原因でドアを閉鎖した後に人物検出手段が誤って室内に人物が居ると判断することがなく、人が個室内にいないにも関わらず報知状態が継続されてしまうことがない。
【図面の簡単な説明】
【００１０】
【図１】本発明にかかる実施例１におけるトイレの模式的な斜視図。
【図２】実施例１の電気的構成を示すブロック図。
【図３】実施例１の作用を説明するためのフローチャート図。
【図４】実施例１の作用を説明するためのフローチャート図。
【図５】本発明にかかる実施例２におけるトイレの模式的な斜視図。
【図６】実施例２の電気的構成を示すブロック図。
【図７】本発明にかかる実施例３におけるトイレの模式的な斜視図。
【図８】実施例３の電気的構成を示すブロック図。
【図９】実施例３の作用を説明するためのフローチャート図。
【図１０】他の実施例を説明するための回路図。
【発明を実施するための最良の形態】
【００１１】
以下、本発明を具体化した実施例を図面に基づいて説明する。
（実施例１）
図１に示すように、個室としてのトイレ１１の正面には出入り口１２が設けられている。出入り口１２はドア１３によって開閉される。前記ドア１３の側面と対向する出入り口１２の部位には、ドア１３の開閉状態を検出するドア開閉検出手段としてのドアスイッチ１４が装着されている。尚、本実施例では図示はしないがトイレ１１内からドア１３の開放を遮断する施錠機構が設けられている。トイレ１１内のほぼ中央部には便器１５が設置されている。出入り口１２と対向するトイレ１１内の壁面には人物検出手段としての人体検知センサ１６が装着されている。トイレ１１内の天井中央部には室内灯１７が設置されている。また、トイレ１１内の天井には後述する送信機ＭＡ等を収容した送信機側ケーシング２１が設置されている。トイレ１１の外部における出入り口１２の上方には受信機側ケーシング３１が設けられている。同受信機側ケーシング３１の前面には半透明樹脂からなる表示パネル３２が装着されている。同パネル３２には「使用中」の文字が印刷されている。また、受信機側ケーシング３１内には表示ランプ３３が収容されている。
【００１２】
図２は本実施例の電気的構成を説明するブロック図である。同ブロック図に示すように、前記送信機側ケーシング２１には中央処理装置（ＣＰＵ）やメモリ、タイマ等を有する制御手段としての送信機側コントローラＣＡが内蔵され、同コントローラＣＡには前記ドアスイッチ１４、人体検知センサ１６及び送信機ＭＡが接続されている。前記ドアスイッチ１４はリミットスイッチ（リミットスイッチに代えて近接スイッチや圧力スイッチ等より構成してもよい）から構成され、ドア１３を開放した際にはオフとなり、ドア１３が閉鎖された際には、オンとなって送信機側コントローラＣＡにオン信号を出力する。オン信号を送っていない状態をもってオフ信号出力状態とする。
また、人体検知センサ１６は赤外線センサ（赤外線センサに代えて超音波センサやサーモセンサ等で構成してもよい）より構成され、トイレ１１内に使用者が入室すると、その使用者を検知して送信機側コントローラＣＡにオン信号を出力する。
送信機側コントローラＣＡはドアスイッチ１４と人体検知センサ１６との両者からオン信号を入力すると、送信機ＭＡを駆動させて入室信号を後述する受信機ＭＢへ送信するようになっている。また、送信機側コントローラＣＡは送信機ＭＡから入室信号を送信した後、ドアスイッチ１４からオフ信号が入力された場合（実際にはオン信号出力が途絶えた状態）には、送信機ＭＡから出室信号を出力するようになっている。
また、口述するように送信機側コントローラＣＡはドアスイッチ１４からのオン信号を入力した直後（あるいは同時）には人体検知センサ１６からのオン信号の入力を１秒間フィルタ回路によってキャンセルするようになっている。更に、１秒経過後に人体検知センサ１６からのオン信号の入力が１分以上ない場合には、ドアスイッチ１４からのオフ信号を解除条件とし人体検知センサ１６からのオン信号の入力がキャンセルされる。
【００１３】
また、前記受信側ケーシング３１には中央処理装置（ＣＰＵ）やメモリを有する制御手段としての受信機側コントローラＣＢが内蔵され、同コントローラＣＢには表示ランプ３３、外部出力端子３４、受信機Ｍ２が接続されている。前記外部出力端子３４には外部負荷としての室内灯１７が接続されている。受信機ＭＢは前記送信機ＭＡから入室信号を受信した際、受信機側コントローラＣＢへ入室信号を出力する。受信機側コントローラＣＢは受信機ＭＢからオン信号を入力すると、表示ランプ３３を点灯させるとともに、外部出力端子３４を通電させ、室内灯１７を点灯させるようになっている。
【００１４】
次に、本実施例における作用を図３及び図４のフローチャートに基づいて説明する。
図３は送信機側コントローラＣＡの入出室に関する処理ルーチンを示すフローチャートである。この処理ルーチンは本実施例では２ｍｓごとに実行されるものとする。
ステップ（以下、Ｓ）１０１において、送信機側コントローラＣＡはドアスイッチ１４からのオン信号入力を待機する。そして、Ｓ１０１でドアスイッチ１４からのオン信号の入力があった、つまりドア１３が閉じられた場合には、Ｓ１０２へ移行して、信号の入力から１秒が経過したかどうかを判断する。
ここで、１秒が経過していない場合にはＳ１０３において人体検知センサ１６からのオン信号入力があったかどうかを判断する。Ｓ１０３においてオン信号入力があればＳ１０４でこれをキャンセルしてＳ１０２に移行し、一方、オン信号入力がなければ処理はそのままＳ１０２に移行する。
このＳ１０２〜Ｓ１０４の処理によってトイレ１１で用を足してドア１３を開けて出て行った場合に急いでトイレ１１を出たことによって人体検知センサ１６からのオン信号入力がドアスイッチ１４からのオン信号入力よりも遅れた場合や、トイレ１１内に温度の大きく異なる空気団が侵入した場合にこれを人の動きと間違えて人体検知センサ１６がオン信号を出力してしまう場合等の誤動作が防止されることとなる。
【００１５】
一方、Ｓ１０２でオン信号の入力があってから１秒が経過したと判断した場合には、Ｓ１０５において人体検知センサ１６からのオン信号入力を待機する。Ｓ１０５において人体検知センサ１６からオン信号を入力したと判断した場合には、処理はＳ１０６へ移行し、送信機ＭＡを駆動させて入室信号を送信する。そしてＳ１０７でドアスイッチ１４からのオフ信号入力（オン信号入力が途絶えたこと。（ドア１３の開放））を待機する。
ここに、Ｓ１０５でオン信号が入力された状態はトイレ１１で用を足すために使用者の入室があり、室内で動いている状態が検出されたことを意味する。
これに対してＳ１０５でオン信号が入力されていないと判断した場合には、処理は一旦Ｓ１０８へ移行しドアスイッチ１４からのオン信号の入力があってから１分が経過したかどうかを判断する。経過していない場合にはＳ１０５でオン信号入力を待機する。
Ｓ１０８で１分が経過したと判断した場合、つまりドア１３が閉じられてから１分経過しても室内での使用者の動きがない場合には、これは出室の際のドア１３の閉鎖（あるいはトイレ１１を使用せず単に開け閉めしただけ）であるとして処理はＳ１０９に移行し、人体検知センサ１６からのオン信号入力をキャンセルするとともに、Ｓ１１０でフラグＦを「１」に設定する。次いで、処理はＳ１０７へ移行しドアスイッチ１４からのオフ信号入力（オン信号入力が途絶えたこと）を待機する。
このＳ１０５、Ｓ１０８〜Ｓ１１０、Ｓ１０７の迂回した処理は、ドア１３が閉じられた後で１分も室内で動いていなければ使用者の入室ではなく出室であると判断したものであり、そのためにむしろ室内に小動物が侵入したり隙間風が入ったりして人体検知センサ１６が誤動作するのを防止する必要から行う処理である。つまり、Ｓ１０５〜Ｓ１０７は使用者の入室があった場合の処理であり、Ｓ１０５、Ｓ１０８〜Ｓ１１０、Ｓ１０７は使用者の入室がなかった（あるいは出て行った）場合の処理である。
【００１６】
Ｓ１０７でオフ信号を入力（オン信号入力が途絶えたこと）した場合、つまりドア１３が開放された場合には、Ｓ１１１に移行して、フラグＦが「１」かどうかを判断し、１であると判断した場合にはＳ１１２においてＳ１０９の人体検知センサ１６のオン信号入力のキャンセルを解除する。同時にフラグＦを「０」に設定する。そして、Ｓ１１３で送信機ＭＡから出室信号を送信する。一方、Ｓ１１１ でフラグＦが「１」でない場合には直ちにＳ１１３に移行する。
【００１７】
次に、図４に基づいて受信機側コントローラＣＢの処理ルーチンについて説明する。受信機側コントローラＣＢはステップ２０１において前記送信機ＭＡからの入室信号の受信を待機し、同ステップにおいて入室信号を受信するとステップ２０２へ移行して表示ランプ３３を点灯させるとともに、外部出力端子３４を通電させる。続くステップ２０３においては送信機ＭＡからの出室信号の入力を待機し、同ステップにおいて出室信号を受信した場合にはステップ２０４へ移行する。そして、ステップ２０４において、表示ランプ３３を消灯させるとともに、外部出力端子３４への通電を停止する。
以上のようにして、各コントローラＣＡ，ＣＢの制御が行われる。
続いて、本実施例における具体的な動作について説明する。
まず、トイレ１１の非使用時（待機状態）においては、ドア１３は閉じられており、ドアスイッチ１４はＯＮ状態に保持されている。このとき、トイレ１１内には使用者がいないことから、人体検知センサ１６はＯＦＦ状態に保持されている。従って、この状態では送信機ＭＡからは入室信号は送信されないので、表示ランプ３３は消灯状態に保持され、トイレ１１の室外の表示パネル３２も暗い状態に保持される。トイレ１１室外にいる人たちは現在の表示パネル１１の状況（表示パネル１１が暗い状態）を見て、現在トイレ１１が使われていないことを判断する。
【００１８】
トイレ１１を使用する際において、ドア１３が開けられ、使用者がトイレ１１内に入室してドア１３を閉じるとドアスイッチ１４はＯＦＦ状態からＯＮ状態となる。また、人物検知センサ１６により使用者の存在が検出されると、送信機ＭＡから受信機ＭＢへ入室信号が送信される。受信機ＭＢが入室信号を受信すると、表示ランプ３３が点灯されるとともに、室内灯１７が点灯される。表示ランプ３３が点灯されることにより表示パネル３２に描かれた「使用中」の文字が明るく表示され、トイレ１１の室外にいる人たちに現在トイレ１１が使用中であることが報知される。また、トイレ１１の使用者はトイレ１１への入室と同時に室内灯１７が自動点灯されるので、トイレ１１入室時における室内灯１７の電源の投入忘れを防止することができる。
トイレ１１の使用中において使用者が長時間静止状態（大便時等において長時間動きが無かったとき等）となった場合、人体検知センサ１６により使用者の存在が検知されないことがある。しかし、送信機側コントローラＣＡは一旦入室信号を送信してからドアスイッチ１４がＯＦＦ（ドア１３が開放）されるまでの間に、人体検知センサ１６による使用者の存在が検知されない場合においても、送信機ＭＡから出室信号は送信しないので表示ランプ３３及び室内灯１７は点灯したままの状態に保持される。使用者がトイレ１１の使用を終えてドア１３を開けると、送信機ＭＡから出室信号が送信されて表示ランプ３３及び室内灯１７が消灯される。これにより、トイレ１１室外にいる人たちは現在の表示パネル１１の状況（表示パネル１１が暗い状態）を見て、現在トイレ１１が使われていないことを判断する。
【００１９】
一方、トイレ１１の使用を終わった使用者はドア１３を開けて外に出るが、このとき使用者が非常に急いで飛び出したり、あるいはドア１３の開放に伴って外気がトイレ１１内に侵入することがある。すると、使用者が外に出てドア１３が閉まった後から閉まる前のトイレ１１内の使用者の動きに基づく人体検知センサ１６からのオン信号が送信機側コントローラＣＡに入力されたり、ドア１３が閉まってからであっても外気の温度差のある空気団を人の動きと誤認識してオン信号が送信機側コントローラＣＡに入力される可能性がある。しかし、上記のようにドア１３が閉まってから１秒間は人体検知センサ１６からのオン信号がキャンセルされるため、使用者がすでに外に出てドア１３が閉まっているにも関わらずその後に人体検知センサ１６からのオン信号が送信機側コントローラＣＡに入力されるという不具合が生じることはなく、誤って送信機ＭＡから入室信号が送信されて表示ランプ３３及び室内灯１７が点灯されてしまうことがない。
【００２０】
上記のように構成することにより本実施例では次のような効果が奏される。
（１）トイレ１１のドア１３が閉じられた状態で、使用者（人物）の存在が一旦検知された場合には、使用者が長時間静止状態となって人物検知センサ１６による使用者の存在が検知されない状態となっても、表示ランプ３３の点灯が保持されるようにした。これにより、従来とは異なり、使用者がドア１３の施錠をしなかった場合や使用者が長時間静止した状態でも確実にトイレ１１室外への人たちへ、トイレ１１の使用中の旨を報知することができる。
（２）従来ではトイレ１１の使用を終わった使用者が非常に急いで飛び出したり、あるいはドア１３の開放に伴って外気がトイレ１１内に侵入することがあり、これが原因で使用していないにも関わらず送信機ＭＡから入室信号が送信されて表示ランプ３３及び室内灯１７が点灯されてしまう可能性があったが、本実施例ではドア１３が閉まってから１秒間（ここでは１秒間であるがトイレ１１の大きさやその他の条件で任意に設定が可能である）は人体検知センサ１６からのオン信号があったとしてもすべてキャンセルされるため、使用者がすでに外に出てドア１３が閉まっているにも関わらずその後に人体検知センサ１６からのオン信号が送信機側コントローラＣＡに入力されるという不具合が生じることはなく、誤って送信機ＭＡから入室信号が送信されて表示ランプ３３及び室内灯１７が点灯されてしまうことがない。
（３）ドア１３が閉まってから１分経過しても（ここでは１分間であるが任意に設定が可能である）人体検知センサ１６からのオン信号がない場合には人体検知センサ１６からのオン信号があったとしてもすべてキャンセルされるため、人が室内にいないにも関わらずなんらかの原因（小動物、隙間風）で入室状態になってしまうことがない。
【００２１】
（実施例２）
本発明を例えば病院等のトイレ使用状況報知システムに具体化した実施例２を説明する。尚、図示において実施例１と共通する構成要素については共通する符号としてそれらの詳しい説明は省略する。
図５（ａ）及び（ｂ）に示すように、個室としてのトイレ１１と離れた場所（例えばナースセンター）にはトイレ使用状況を把握するためのパネル５０が配設されている。パネル５０には１番から５番までのトイレの使用状況がわかる上下２つのランプが配設されている。上側は入室ランプ５１とされ、下側は３０分経過ランプ５２とされている。パネル５０上部には受信機側ケーシング５３が取付固定されている。トイレ１１内には延長スイッチユニット５４が配設されている。延長スイッチユニット５４には延長スイッチ５５が配設されている。延長スイッチ５５内にはランプ５６が内蔵されている。延長スイッチ５５にはスピーカ５７が併設されている。
【００２２】
図６は本実施例２の電気的構成を説明するブロック図である。同ブロック図に示すように、本実施例２では外部出力端子３４は送信機側ケーシング２１に設けられ、送信機側コントローラＣＡに接続され、室内灯１７は送信機側ケーシング２１において外部出力端子３４に接続されている。更に延長スイッチ５５，ランプ５６及びスピーカ５７も送信機側コントローラＣＡに接続されている。
また、受信機側ケーシング５３には、上記実施例１と同様に受信機ＭＢ、受信機側コントローラＣＢが内蔵されている。受信機側コントローラＣＢには入室（表示）ランプ５１及び３０分経過ランプ５２が接続されている。
送信機側コントローラＣＡは内蔵されたタイマによって３０分を計測し、３０分経過するとその旨の出力信号（３０分経過信号）を送信機ＭＡから受信機側コントローラＣＢに送信させる。受信機ＭＢは送信機ＭＡから３０分経過信号を受信した際、受信機側コントローラＣＢへ３０分経過信号を出力する。受信機側コントローラＣＢは３０分経過信号に基づいて当該トイレの３０分経過ランプ５２を点灯させる。尚、送信機側コントローラＣＡの設定を変更することで３０分以外の時間で経過信号を出力することも可能である。
３０分の計測開始タイミングは基本的には送信機側コントローラＣＡの入室信号の出力と同時であるが、延長スイッチ５５が押下されることによる入力信号に基づいてタイマのカウントが一旦クリアされ、押下時が新たな３０分の計測開始タイミングとされる。尚、本実施例２では延長スイッチ５５の２回目以降の押下は無効とされている（つまり、一回だけ延長可能である）。
また、送信機側コントローラＣＡは２９分経過段階でランプ５６を点滅させるとともにスピーカ５７から「まもなく入室から３０分経過します。このまま使用されるなら点滅するボタンを押して下さい。ボタンを押されないとナースセンターに長時間使用されている旨の連絡がされます」とのアナウンスをさせる。
【００２３】
本実施例２も上記図３及び図４に示すフローチャートのルーチンに従う。本実施例２では送信機ＭＡから入室信号が送信されると同時に、外部出力端子の通電が行われ、トイレ１１内の室内灯１７が点灯される。また、送信機側コントローラＣＢにより入室ランプ５１が点灯される。そして、送信機ＭＡから出室信号が送信されると同時に送信機側コントローラＣＡにより室内灯１７が消灯されるとともに、受信機側コントローラＣＢにより表示ランプ４７が消灯される。また、入室から３０分経過した場合には基本的に離れた場所にあるパネル５０の３０分経過ランプ５２が点灯される。但し、３０分経過前に延長スイッチ５５が押下された場合にはその押下の時から３０分がカウントされる。
このように、本実施例によれば、トイレ１１からナースセンターにおいて各トイレ１１の使用状況が報知され使用の有無が確認できる、同時に、あまりに長すぎる使用時間については３０分経過ランプ５２を点灯させることで個室内におけるトラブルを未然に防止でき、実際にトラブルが生じた場合でも迅速に救済することが可能となる。また、ナースセンターに長時間のトイレ使用の連絡が入る直前に音声と光を目視することによって延長スイッチ５５を押下させることを促すようになっているのでトイレ使用者が長時間使用していることを自覚している場合にはナースセンターに長時間使用している旨の連絡が入ることがないので気兼ねなくトイレを使用することができる。
【００２４】
（実施例３）
実施例１におけるドアスイッチの代わりに出入り口通過検出手段としての光電センサ７１を使用した別例を実施例３として説明する。尚、図示において実施例１と共通する構成要素については共通する符号としてそれらの詳しい説明は省略する。図４は実施例１と共通である。
図７に示すように、光電センサ７１はトイレ１１の出入り口１２に面してドアのノブの高さ付近に配置された投光部７１ａと受光部７１ｂとから構成されている。光電センサ７１は出入り口１２を人物が通過する際に投光部７１ａから投光される赤外線を一旦遮蔽するとともにその遮蔽がなくなり再び受光部７１ｂにおいて受光状態となるＯＮ〜ＯＦＦ状態の状態変化に基づいて通過を検出する。図８は本実施例の電気的構成を説明するブロック図である。実施例１と異なるのは送信側コントローラＣＡに接続されているのがドアスイッチ１４ではなく光電センサ７１である点である。
【００２５】
次に、本実施例における作用を図９及び図４のフローチャートに基づいて説明する。
図９は送信機側コントローラＣＡの入出室に関する処理ルーチンを示すフローチャートである。この処理ルーチンは本実施例では２ｍｓごとに実行されるものとする。
ステップ（以下、Ｓ）３０１において、送信機側コントローラＣＡは光電センサ７１の赤外線のＯＮ・ＯＦＦの検出、つまり人物の出入り口１２の通過を待機する。そして、Ｓ３０１で光電センサ７１からのオン信号の入力があった、つまり出入り口１２の通過があった場合には、Ｓ３０２へ移行して、信号の入力から１秒が経過したかどうかを判断する。
ここで、１秒が経過していない場合にはＳ３０３において人体検知センサ１６からのオン信号入力があったかどうかを判断する。Ｓ３０３においてオン信号入力があればＳ３０４でこれをキャンセルしてＳ３０２に移行し、一方、オン信号入力がなければ処理はそのままＳ３０２に移行する。
このＳ３０２〜Ｓ３０４の処理によってトイレ１１で用を足してドア１３を開けて出て行った場合に急いでトイレ１１を出たことによって人体検知センサ１６からのオン信号入力が光電センサ７１からのオン信号入力よりも遅れた場合や、トイレ１１内に温度の大きく異なる空気団が侵入した場合にこれを人の動きと間違えて人体検知センサ１６がオン信号を出力してしまう場合等の誤動作が防止されることとなる。
【００２６】
一方、Ｓ３０２でオン信号の入力があってから１秒が経過したと判断した場合には、Ｓ３０５において人体検知センサ１６からのオン信号入力を待機する。Ｓ３０５において人体検知センサ１６からオン信号を入力したと判断した場合には、処理はＳ３０６へ移行し、送信機ＭＡを駆動させて入室信号を送信する。そしてＳ３０７で次の光電センサ７１の赤外線のＯＮ・ＯＦＦの検出（出入り口１２の通過）を待機する。
ここに、Ｓ３０５でオン信号が入力された状態はトイレ１１で用を足すために使用者の入室があり、室内で動いている状態が検出されたことを意味する。
これに対してＳ３０５でオン信号が入力されていないと判断した場合には、処理は一旦Ｓ３０８へ移行しドアスイッチ１４からのオン信号の入力があってから１分が経過したかどうかを判断する。経過していない場合にはＳ３０５でオン信号入力を待機する。
Ｓ３０８で１分が経過したと判断した場合、つまり出入り口１２の通過があったにも関わらず１分経過しても室内での使用者の動きがない場合には、これは出室（あるいは単に出入り口１２を行き来しただけ）であるとして処理はＳ３０９に移行し、人体検知センサ１６からのオン信号入力をキャンセルするとともに、Ｓ３１０でフラグＦを「１」に設定する。次いで、処理はＳ３０７へ移行し光電センサ７１の赤外線のＯＮ・ＯＦＦの検出（出入り口１２の通過）を待機する。
このＳ３０５、Ｓ３０８〜Ｓ３１０、Ｓ３０７の迂回した処理は、出入り口を通過してその後１分も室内で動いていなければ使用者の入室ではなく出室であると判断したものであり、そのためにむしろ室内に小動物が侵入したり隙間風が入ったりして人体検知センサ１６が誤動作するのを防止する必要から行う処理である。つまり、Ｓ３０５〜Ｓ３０７は使用者の入室があった場合の処理であり、Ｓ３０５、Ｓ３０８〜Ｓ３１０、Ｓ３０７は使用者の入室がなかった（あるいは出て行った）場合の処理である。
【００２７】
Ｓ３０７で赤外線のＯＮ・ＯＦＦの検出した場合、つまり出入り口１２の通過があった場合には、Ｓ３１１に移行して、フラグＦが「１」かどうかを判断し、１であると判断した場合にはＳ３１２においてＳ３０９の人体検知センサ１６のオン信号入力のキャンセルを解除する。同時にフラグＦを「０」に設定する。そして、Ｓ３１３で送信機ＭＡから出室信号を送信する。一方、Ｓ３１１ でフラグＦが「１」でない場合には直ちにＳ３１３に移行する。
【００２８】
次に、図４に基づいて受信機側コントローラＣＢの処理ルーチンについて説明する。受信機側コントローラＣＢはステップ２０１において前記送信機ＭＡからの入室信号の受信を待機し、同ステップにおいて入室信号を受信するとステップ２０２へ移行して表示ランプ３３を点灯させるとともに、外部出力端子３４を通電させる。続くステップ２０３においては送信機ＭＡからの出室信号の入力を待機し、同ステップにおいて出室信号を受信した場合にはステップ２０４へ移行する。そして、ステップ２０４において、表示ランプ３３を消灯させるとともに、外部出力端子３４への通電を停止する。
以上のようにして、各コントローラＣＡ，ＣＢの制御が行われる。
続いて、本実施例における具体的な動作について説明する。
まず、トイレ１１の非使用時（待機状態）においては、ドア１３は閉じられており、光電センサ７１はＯＦＦ状態に保持されている。このとき、トイレ１１内には使用者がいないことから、人体検知センサ１６はＯＦＦ状態に保持されている。従って、この状態では送信機ＭＡからは入室信号は送信されないので、表示ランプ３３は消灯状態に保持され、トイレ１１の室外の表示パネル３２も暗い状態に保持される。トイレ１１室外にいる人たちは現在の表示パネル１１の状況（表示パネル１１が暗い状態）を見て、現在トイレ１１が使われていないことを判断する。
【００２９】
トイレ１１を使用する際において、ドア１３が開けられ、出入り口１２を通過して使用者がトイレ１１内に入室すると光電センサ７１がこの入室を検出する。また、人物検知センサ１６により使用者の存在が検出されると、送信機ＭＡから受信機ＭＢへ入室信号が送信される。受信機ＭＢが入室信号を受信すると、表示ランプ３３が点灯されるとともに、室内灯１７が点灯される。表示ランプ３３が点灯されることにより表示パネル３２に描かれた「使用中」の文字が明るく表示され、トイレ１１の室外にいる人たちに現在トイレ１１が使用中であることが報知される。また、トイレ１１の使用者はトイレ１１への入室と同時に室内灯１７が自動点灯されるので、トイレ１１入室時における室内灯１７の電源の投入忘れを防止することができる。更に、ドア１３の開閉とは無関係に出入り口１２を通過することによって入室と出室が検出されるため、自宅のトイレ１１であればドア１３を必ずしも閉めずに用を足すということも可能となる。
使用者がトイレ１１の使用を終えて再度出入り口１２を通過して外に出ると、送信機ＭＡから出室信号が送信されて表示ランプ３３及び室内灯１７が消灯される。これにより、トイレ１１室外にいる人たちは現在の表示パネル１１の状況（表示パネル１１が暗い状態）を見て、現在トイレ１１が使われていないことを判断する。
【００３０】
一方、トイレ１１の使用を終わった使用者はドア１３を開けて外に出るが、このとき使用者が非常に急いで飛び出したり、あるいはドア１３の開放に伴って外気がトイレ１１内に侵入することがある。すると、使用者が外に出てドア１３が閉まった後から閉まる前のトイレ１１内の使用者の動きに基づく人体検知センサ１６からのオン信号が送信機側コントローラＣＡに入力されたり、ドア１３が閉まってからであっても外気の温度差のある空気団を人の動きと誤認識してオン信号が送信機側コントローラＣＡに入力される可能性がある。しかし、上記のようにドア１３が閉まってから１秒間は人体検知センサ１６からのオン信号がキャンセルされるため、使用者がすでに外に出てドア１３が閉まっているにも関わらずその後に人体検知センサ１６からのオン信号が送信機側コントローラＣＡに入力されるという不具合が生じることはなく、誤って送信機ＭＡから入室信号が送信されて表示ランプ３３及び室内灯１７が点灯されてしまうことがない。
このような構成では、実施例１と同様の効果が奏される。
【００３１】
本発明を、以下のように具体化して実施してもよい。
・上記各実施例では、ドア開閉検出手段としてのドアスイッチ１４及び人物検出手段としての人体検知センサ１６からの検出信号は送信機ＭＡから報知手段を構成する受信機ＭＢへ無線により送信されるようにしたが、有線により各検出信号を報知手段へ出力するように構成してもよい。
・報知手段を構成する受信機側ケーシング３１は表示ランプ３３と一体的に配設されているが、別体として配置するようにしてもよい。
・複数の個室としてのトイレ１１に具体化してもよい。
・個室としてトイレ１１以外にシャワー室や試着室等の各種個室に具体化してもよい。  ・上記実施例では、各動作はプログラムを組んでコントローラＣＡ，ＣＢ内でソフト的に処理させたが、論理回路で構成して具体化してもよい。すなわち、図１０に示すように、ＡＮＤ回路７５によりドア開閉検出手段としてのドアスイッチ１４と、人物検知手段としての人体検知センサ１６との信号を入力し、両信号がＯＮのときに表示ランプ３３が点灯するようにする。表示ランプ３３は一旦点灯したらドアスイッチ１４がＯＦＦとなるまで点灯を継続する自己保持機能を備える。
・上記各実施例では、表示ランプ３３（５１）を点灯させ、個室としてのトイレ１１の使用中の旨をトイレ１１の外部の人たちが目視により確認できるように構成したが、トイレ１１の使用中にアラーム音や音楽を発生させて、聴覚的にトイレ１１の使用状況を報知するように構成してもよい。
・上記実施例２では、３０分経過ランプ５２を点灯させ、長時間使用していることをナースセンターで確認できるように構成したが、アラーム音や音楽を発生させて、聴覚的に報知するように構成してもよい。
・上記実施例２では３０分で入室を３０分経過ランプ５２を点灯させて報知するようにしていたが、使用場所や使用者の傾向等の条件に応じてこの報知時間を適宜変更するようにしてもよい。
・上記実施例２では、延長スイッチ５５の２回目以降の押下は無効とする設定であったが、再延長可能に設定することも自由である。
・上記実施例２では、トイレ内に延長スイッチユニット５４（延長スイッチ５５、ランプ５６、スピーカ５７）を配設したが、長時間使用の際の外部への報知までの時間の延長をさせないように延長スイッチ自体を配設しないような構成でも構わない。
・上記実施例では、外部負荷としてトイレ１１内の照明である室内灯１７で具体化したが、外部負荷として換気扇や音響機器で具体化してもよい。
・外部出力端子３４を設けずに具体化してもよい。
・実施例１及び２を喫茶店、スナック、カラオケボックス等のトイレに応用することも自由である。
・ドアスイッチ１４と光電センサ７１の両方を備えるような構成であってもよい。
・出入り口通過検出手段として光電センサ以外を使用することも可能である。
その他、本発明はその趣旨を逸脱しない範囲において変更した態様で実施することは自由である。
【００３２】
本発明の目的を達成するために上記実施例から把握できるその他の技術的思想について下記に付記として説明する。
（１） 請求項１又は２に記載の発明において、前記人物検出手段により個室内の人物の存在が検出された後、所定時間内に前記ドア開閉検出手段によりドアの開放状態が検出されない場合にその旨を個室外部に報知する第２の報知手段を備えていることを特徴とする個室使用状況報知システム。
（２）付記１において、前記個室内には前記第２の報知手段により入室から所定時間経過したことを個室外部に報知する際の当該所定時間を延長させるために個室使用者が入力する時間延長スイッチが設けられていることを特徴とする個室使用状況報知システム。
（３）付記２において、前記個室内には前記第２の報知手段により入室から所定時間経過したことを個室外部に報知する直前に前記時間延長スイッチの入力を促がす第３の報知手段を備えていることを特徴とする個室使用状況報知システム。
（４）請求項１及び２並びに付記１〜３のいずれかの発明において、前記ドア開閉検出手段及び前記人物検出手段からの出力信号は、無線により報知手段に送信され、報知手段は前記両検出手段から受信した受信信号に基づいて個室の使用状況を報知することを特徴とする個室使用状況報知システム。
（５） 請求項３又は４に記載の発明において、前記人物検出手段により個室内の人物の存在が検出された後、所定時間内に前記出入り口通過検出手段により出入り口の通過が検出されない場合にその旨を個室外部に報知する第２の報知手段を備えていることを特徴とする個室使用状況報知システム。
（６）付記５において、前記個室内には前記第２の報知手段により入室から所定時間経過したことを個室外部に報知する際の当該所定時間を延長させるために個室使用者が入力する時間延長スイッチが設けられていることを特徴とする個室使用状況報知システム。
（７）請求項１〜４並びに付記１〜３のいずれかの発明において、前記報知手段には、同報知手段と連動して駆動する外部負荷を接続することが可能な外部出力端子を設けたことを特徴とする個室使用状況報知システム。外部負荷としては室内灯１７が相当し、外部負荷電源３４としては外部出力端子に相当する。
【符号の説明】
【００３３】
１１…個室としてのトイレ、１２…出入り口、１３…ドア、１４…ドア開閉検出手段としてのドアスイッチ、１６…人物検出手段としての人体検知センサ、３１，５３…報知手段を構成する受信機側ケーシング、３２…報知手段を構成する表示パネル、３３、５１…報知手段を構成する表示ランプ、７１…出入り口通過検出手段としての光電センサ、ＣＢ…制御手段を構成する受信機側コントローラ、ＭＢ…制御手段を構成する受信機。
【図１】
0005616730.tif 000002
【図２】
0005616730.tif 000003
【図３】
0005616730.tif 000004
【図４】
0005616730.tif 000005
【図５】
0005616730.tif 000006
【図６】
0005616730.tif 000007
【図７】
0005616730.tif 000008
【図８】
0005616730.tif 000009
【図９】
0005616730.tif 000010
【図１０】
0005616730.tif 000011